(57)【要約】【課題】  本発明は、二重壁構造を有する合成樹脂製ボトルで、胴部の全高さ、全周に亘って高い生産性で加飾効果を発揮させることを技術的課題とするものであり、胴部の全範囲に亘る加飾効果と二重壁構造による３次元的な視覚効果が相俟って、高級感のあるパーケージングが可能な合成成樹脂製ボトルを提供することを目的とするものである。【解決手段】  二重壁構造を有する合成樹脂製ボトルにおいて、筒状の胴部の上端に肩部を介して口筒部を起立設した合成樹脂製ブロー壜体であるボトル本体と、このボトル本体を外装して加飾するシュリンクラベルと、シュリンクラベルの外側からボトル本体の胴部と底部を外装する有底筒状で透明性を有する合成樹脂製の外殻体から構成され、外殻体は、シュリンクラベルで外装した状態のボトル本体をインサート材とした射出成形により形成されたものとする。【選択図】  図１
2014105032.tif 000002
【特許請求の範囲】
【請求項１】
筒状の胴部(14)の上端に肩部(13)を介して口筒部(12)を起立設した合成樹脂製ブロー壜体であるボトル本体(11)と、該ボトル本体(11)を外装して加飾するシュリンクラベル(17)と、前記シュリンクラベル(17)の外側からボトル本体(11)の胴部(14)と底部(15)を外装する有底筒状で透明性を有する合成樹脂製の外殻体(21)から構成され、前記外殻体(21)は、シュリンクラベル(17)で外装した状態のボトル本体(11)をインサート材とした射出成形により形成されたものとしたことを特徴とする二重壁構造を有する合成樹脂製ボトル。
【請求項２】
シュリンクラベル(17)の上端部が肩部(13)に、下端部が底部(15)の底面壁に係止する構成とした請求項１記載の二重壁構造を有する合成樹脂製ボトル。
【請求項３】
ボトル本体(11)を透明性を有するものとし、シュリンクラベル(17)を透明性を有する合成樹脂フィルム製で該フィルムに印刷により模様を描いたものとした請求項１または２記載の二重壁構造を有する合成樹脂製ボトル。
【発明の詳細な説明】
【技術分野】
【０００１】
本発明は、インサート成形技術を利用して成形した二重壁構造を有する合成樹脂製ボトルに関するものである。
【背景技術】
【０００２】
二重壁構造の合成樹脂製ボトルとして、外殻体を透明にした構成のものが優れた光学的な加飾機能が発揮できることから、高級感のあるパーケージングで商品の差別化が要望される化粧料容器等への利用展開が進んでいる。
本願の出願人による特許文献１には内層を構成するボトル本体をインサート材とし、透明で厚肉の外殻体を射出成形により成形する二重壁構造を有する合成樹脂製ボトルが記載されている。
【０００３】
この種の二重壁構造を有するボトルでは、ボトル本体の外周面にシルク印刷や、ホットスタンプ法により加飾層を積層し、この加飾層による模様が透明な外殻体の周壁の中に浮き上がるような３次元的な視覚効果を発揮させて高級感のあるパーケージングを実現できるものとして、従来は硝子製のボトルが使用されていた化粧料用の容器への利用展開が進んでいる。
【先行技術文献】
【特許文献】
【０００４】
【特許文献１】特開２０１２−０１２０７２号公報
【発明の開示】
【発明が解決しようとする課題】
【０００５】
ここで、上記したようなシルク印刷やホットスタンプ法により加飾層を形成する場合、印刷やホットスタンプの工程はボトル本体の胴部の上端部と下端部を治具で固定した状態で実施する必要がある等、その工程に起因する制約や、生産性の観点から加飾領域が胴部の周壁の上端部と下端部を除いた高さ範囲に限定される、あるいは胴部の正面部分に限定される等、胴部の全高さ、全周に亘って加飾効果を発揮させることが難しいという問題がある。
【０００６】
そこで、本発明は上記のようなインサート成形技術を利用して成形した二重壁構造を有する合成樹脂製ボトルで、胴部の全高さ、全周に亘って高い生産性で加飾効果を発揮させることを技術的課題とするものであり、胴部の全範囲に亘る加飾効果と二重壁構造による３次元的な視覚効果が相俟って、高級感のあるパーケージングが可能な合成成樹脂製ボトルを提供することを目的とするものである。
【課題を解決するための手段】
【０００７】
上記課題を解決するための本発明の主たる構成は、二重壁構造を有する合成樹脂製ボトルにおいて、
筒状の胴部の上端に肩部を介して口筒部を起立設した合成樹脂製ブロー壜体であるボトル本体と、このボトル本体を外装して加飾するシュリンクラベルと、シュリンクラベルの外側からボトル本体の胴部と底部を外装する有底筒状で透明性を有する合成樹脂製の外殻体から構成され、
外殻体は、シュリンクラベルで外装した状態のボトル本体をインサート材とした射出成形により形成されたものとする、と云うものである。
【０００８】
シュリンクラベルは、ペットボトルをはじめとした多種多様な形状の容器に使用されているラベルで、絵柄や文字を印刷したポリエチレンテレフタレート（ＰＥＴ）樹脂等の延伸フィルムに熱をかけることによってボトルの周壁の形状に合わせてラベルを収縮させ、密着状にフィットさせながら巻回状に外装することができるものである。
そして、上記構成のボトルによれば、外殻体を、シュリンクラベルで外装した状態のボトル本体をインサート材とした射出成形により形成されたものとすることにより、ボトル本体と外殻体の間にシュリンクラベルを接着、あるいは密着状に積層させることができ、
シュリンクラベルによる加飾機能と透明な外殻体による光学的な作用効果が相俟って、シュリンクラベルに描かれた模様が透明な外殻体の周壁の中に浮き上がるような３次元的な視覚効果を発揮させて高級感のあるパーケージングを実現することが可能となる。
【０００９】
また、シュリンクラベルはボトルの胴部の全高さ、全周に亘って容易に積層することができ、ボトル全体でその加飾効果を発揮させてことができる。
なお、外殻体は透明性を有するものであるが、無色透明のものの他にも、有色透明性を有するもの、さらには半透明性を有するものとすることができる。
【００１０】
本発明の他の構成は上記主たる構成において、シュリンクラベルの上端部が肩部に、下端部が底部の底面壁に係止する構成とする、と云うものである。
【００１１】
シュリンクラベルで外装した状態のボトル本体をインサート材とした外殻体の射出成形では、金型のキャビティ内で、高温で流動する溶融樹脂によるシュリンクラベルでのズレや皺の発生が懸念されるが、シュリンクラベルは元々ボトル本体の周壁に密着状に積層しており、さらに上記構成によりシュリンクラベルの上端部と下端部を係止して縦方向に固定することにより、
上記したズレや皺の発生を効果的に抑制することが可能となる。
【００１２】
特に、シュリンクラベルの下端が底部の底面壁に係止することなく、胴部の所定高さ位置に位置すると、溶融樹脂がシュリンクラベルの下端面に衝突し、シュリンクラベルの下端部が捲れあがる等の問題があるが、上記構成によりシュリンクラベルの下端部を底部の底面壁に係止することにより、このような捲れに係る問題も効果的に回避することができる。
【００１３】
本発明のさらに他の構成は上記主たる構成において、ボトル本体を透明性を有するものとし、シュリンクラベルを透明性を有する合成樹脂フィルム製でこのフィルムに印刷により模様を描いたものとする、と云うものである。
【００１４】
上記構成によれば、ボトル本体とシュリンクラベルと外殻体から構成されるボトル全体を、透明性を有するものとし、その中で印刷による模様が浮かんだような視覚効果を発揮させることができ、無色透明なガラスの中に着色ガラス薄片による中間層を形成し、この着色ガラス薄片による模様で加飾した硝子製のボトルに近い加飾効果を現出することができる。
【発明の効果】
【００１５】
本発明は、上記した構成となっているので、以下に示す効果を奏する。
すなわち、外殻体をシュリンクラベルで外装した状態のボトル本体をインサート材とした射出成形により形成されたものとすることにより、ボトル本体と外殻体の間の全領域に亘って、シュリンクラベルを接着、あるいは密着状に積層させることができ、
シュリンクラベルによる加飾機能と透明な外殻体による光学的な作用効果が相俟って、シュリンクラベルに描かれた模様が透明な外殻体の周壁の中に浮き上がるような３次元的な視覚効果をボトル全体に現出させることができる。
【図面の簡単な説明】
【００１６】
【図１】本発明の合成樹脂製ボトルの一実施例を示す、全体斜視図である。
【図２】図１のボトルの（ａ）は半縦断面図、（ｂ）は底面図である。
【図３】図1のボトルの成形にインサート材として使用されるシュリンクラベルで外装したボトル本体の（ａ）は正面図、（ｂ）は底面図である。
【図４】図１のボトルの成形方法の説明に供する、成形前の金型構成図である。
【図５】図１のボトルの成形方法の説明に供する、成形後の金型構成図である。
【発明を実施するための最良の形態】
【００１７】
以下、本発明の実施形態を、実施例に沿って図面を参照しながら説明する。
図１〜３は本発明の二重壁構造を有する合成樹脂製ボトル（以下、単にボトルと記す。）の一実施例を示すものであり、図１は全体斜視図、図２（ａ）は半縦断面図、図２（ｂ）は底面図、図３（ａ）は図１のボトルの成形にインサート材として使用されるシュリンクラベルで外装したボトル本体の正面図、（ｂ）は底面図である。
【００１８】
このボトル１は円筒状の口筒部２、肩部３、円筒状の胴部４そして底部５を有し、ボトル本体１１と、このボトル本体１１の胴部１４を外装するシュリンクラベル１７と、さらにシュリンクラベル１７で外装されたボトル本体１１の肩部１３の中央高さ位置から胴部１４を経て底部５までを外装する透明で厚肉の外殻体２１から構成されており、全高さが８５ｍｍ、胴部４の径が４７ｍｍの壜体である。
【００１９】
ボトル本体１１はポリエチレンテレフタレート（ＰＥＴ）樹脂製の透明な２軸延伸ブロー成形品である。
【００２０】
また、シュリンクラベル１７はＰＥＴ樹脂製の透明な延伸フィルムに印刷により模様Ｍを描いたものである。
そして、このシュリンクラベル１７は図２（ａ）あるいは図３に示されるようにボトル本体１１の胴部１４の全周、全高さに亘って外装しており、上端部がボトル本体１１の肩部１３に、下端部が底部１５の底壁面に係止している。
なお、従来のようにシュリンクラベルではなく、シルク印刷やホットスタンプ法によりボトル本体１１の外周面を全周に亘って加飾する場合には、印刷やホットスタンプ工程を胴部の上端部と下端部を治具で固定し、回転させながら実施する必要もあり、その加飾領域は図３（ａ）中、符号ｈで示したような範囲に限定され、胴部の全高さに亘って加飾効果を発揮させることは難しくなる。
【００２１】
外殻体２１はＰＥＴ樹脂製で円筒状の筒状部２４と底部２５からなる有底筒状体のもので、筒状部２４の周壁の肉厚を２．５ｍｍ、また底部２５の肉厚は薄い部分で３．５ｍｍである。
【００２２】
本実施例のボトル１は後ほど説明する方法で、シュリンクラベル１７で外装したボトル本体１１をインサート材として射出成形により外殻体２１を成形して得られたもので、射出成形中におけるシュリンクラベル１７のズレ、捲れ、皺の発生が懸念されるが、ボトル本体１１、シュリンクラベル１７、外殻体２１について本実施例のように適宜の材料を選択し、さらにシュリンクラベル１７の上端部と下端部を適宜の方法でボトル本体１１の周壁に係止状に固定することで、シュリンクラベル１７におけるズレ、捲れ、皺の発生を抑制することができた。
【００２３】
そして、シュリンクラベル１７に描いた模様Ｍによる加飾効果と、外殻体２１による３次元的な視覚効果が相俟って、模様Ｍがボトル１の略全領域に亘って透明な周壁中に浮かぶような視覚効果が発揮され、無色透明なガラスの中に着色ガラス薄片による中間層を形成し、この着色硝子薄片による模様で加飾した硝子製の装飾ボトルに近い加飾効果を現出することができるようになった。
なお、シュリンクラベル１７の上端部は外部に露出することなく外殻体２１の上端部で被覆するようにしている。（図２（ａ）参照）
【００２４】
次に、上記実施例のボトル１の成形方法について図４、５を参照しながら概略的に説明する。図４、５はシュリンクラベル１７で外装したボトル本体１１をインサート材として外殻体２１を成形するための射出金型３１の構成例と、ボトル１の成形手順例を説明する図で、図４は成形前の金型構成図、図５は成形後の金型構成図である。
【００２５】
図４に示されるように、射出金型３１は、主としてボトル本体１１の保持部３２とキャビティ金型３３とから構成されており、シュリンクラベル１７で外装したボトル本体１１はその口筒部１２をボトル体保持部３２で固定し、キャビティ金型３３内に垂下状にセットされ、このシュリンクラベル１７で外装したボトル本体１１をコア部としての機能を発揮するインサート材とし、キャビティ金型３３との間に溶融樹脂を射出、充填して外殻体２１が成形されるキャビティ３４が形成されている。
また、キャビティ金型３３のボトル本体１１の底部１５に対向する位置にはキャビティ３４と連通するようにゲート口３７が配設されている。
【００２６】
また、垂下設されたボトル本体１１にはエアピン３６が挿入されておりこのエアピン３６は、その先端をボトル本体１１の底部１５に当接させ、その先端部に冷却エアａの噴出孔を開口させている。
そして、ボトル本体１１には、エアピン３６を介して冷却エアａが循環供給されるが、この冷却エアａは、冷却機により冷たくした空気を使用しても良いし、射出される溶融樹脂よりも温度の低い常温空気を使用しても良い。
【００２７】
そして、図４に示されるようにキャビティ金型３３内にボトル本体１１をセットした状態で、外殻体２１を形成する合成樹脂、本実施例ではＰＥＴ樹脂を溶融した状態でゲート口３７からキャビティ３４に射出する。
この際、溶融樹脂は図４中に示めされる白抜き矢印のようにボトル本体１１の底部１５に衝突するように流動し、胴部１４の周壁に回り込み、その後周壁に沿って胴部１５の上端部まで流動し、キャビティ３４を充填し、図５に示されるように外殻体２１が成形される。
【００２８】
ここで、上記のような溶融樹脂の流動挙動によると、射出される高温の溶融樹脂の熱および射出圧がボトル本体１１の底部１５近傍に直接的に作用し、底部１５近傍が極端な場合には大きく押潰し状に変形してしまう恐れがあり、また小さな押潰し状の変形でも、底部１５近傍の外表面にはその変形に伴って皺が発生するので成形されたボトル１では透明な外殻体２１を透してこの皺が現出し、本来の加飾性が損なわれてしまう恐れがあるが、
この点は、底部１５近傍の変形を、ボトル本体１１の冷却エアａによる冷却の強化の他にも、計量充填法の採用、外殻体２１の底部２５も含めた周壁の厚肉化、と云う手段を合せることにより抑制することができる。
【００２９】
計量充填法はキャビティ３４の容積に合わせて予め決めた量の溶融樹脂をキャビティ３４に充填し、保圧工程を省略するものであり、この計量充填法を採用することにより保圧工程による大きな圧力上昇を回避することができる。
また、外殻体２１の周壁の厚肉化と云う点いついては、実験的に検討した結果では、筒状部２４の周壁が少なくとも２．５ｍｍ、また底部２５が少なくとも３ｍｍの肉厚を有するようにすることが目安となり、上記実施例の壜体では外殻体２１の筒状部２４の肉厚を２．５ｍｍ、また底部２５の肉厚は薄い部分で３．５ｍｍとしている。
勿論、外殻体２１の周壁の厚さに係る上記数値はあくまでも目安であり、ボトル本体１１に使用する樹脂の耐熱性や、ボトル本体１１の周壁の肉厚等を考慮して適宜設定するものである。
【００３０】
また、上記のような射出成形工程では、
シュリンクラベル１７のボトル本体１１の下端が胴部の所定高さ位置に位置すると、流動する溶融樹脂がシュリンクラベル１７の下端面に衝突し、シュリンクラベル１７の下端部が捲れあがる等の問題が生じるが、図４に示されるようにシュリンクラベル１７の下端部を底部１５の底面壁に係止することにより、この係止部近傍では溶融樹脂によりシュリンクラベル１７の下端部をボトル本体１１の底部１５の底面壁に押付けるような力が作用するため、上記のような問題を効果的に回避することができる。
【００３１】
以上、実施例に沿って本発明の二重壁構造を有する合成樹脂製ボトルの構成と、その作用効果について説明したが、本発明はこれら実施例に限定されるものではない。
たとえば、ボトル本体１１と外殻体２１の形状の組み合わせについて上記実施例では円筒状の胴部１４に円筒状の筒状部２４を組み合せたものとしたが、外殻体２１の円筒状の筒状部２４の外周面に刻設状に凹凸模様を付加したり、外殻体２１の筒状部２４の外周面を多角形筒状としたりしてクリスタルガラス状にする等、さまざまな組み合わせを採用することができる。
また、上記実施例では、シュリンクラベル１７を胴部１４の全高さ範囲に亘って外装する構成としたが、加飾目的によっては外装を限定された高さ範囲とすることができる。ただこの際には胴部１４に周溝を配設する等して、シュリンクラベル１７の上端部や下端部を何らかの手段で係止することが好ましい。
【００３２】
また、上記実施例では、外殻体２１の他にも、ボトル１とシュリンクラベル１７を透明性有するものとして、ボトル１全体に透明感を付与する構成としているが、加飾目的に応じてボトル本体１１やシュリンクラベル１７の透明性や不透明性を選択することができる。
また、たとえばＰＰ樹脂製の２軸延伸ブロー成形品で、ＰＰ樹脂に微粉末フィラーを分散し、ボトル本体１１が白色を基調としてパール調の外観を呈するようにする等により、さらに加飾態様のバリエーションを多様にすることができる。
また、上記実施例では模様Ｍを全体的に絵柄が広がった構成としたが、勿論、製品名やブランド名等を表すような文字や記号を付加することもできる。
【００３３】
また、上記実施例では、ボトル本体１１をＰＥＴ樹脂製、シュリンクラベル１７をＰＥＴ樹脂の延伸フィルム製、外殻体２１をＰＥＴ樹脂製としたが、これら部材に使用する合成樹脂材料や合成樹脂フィルムについても限定されることはなく、特に外殻体２１の射出成形時における成形条件も加味しながら、ボトル本体１１やシュリンクラベル１７の耐熱変形性や、ボトル本体１１と外殻体２１の接着性等を考慮し、たとえば、ポリプロピレン（ＰＰ）樹脂製の２軸延伸ブロー成形品であるボトル本体１１とＰＰ樹脂延伸フィルム製のシュリンクラベル１７とエチレン系アイオノマー樹脂（例えば三井・デュポン・ポリケミカル社のハイミラン）製の外殻体２１を組み合せる等、成形性を含めて要求される特性を発揮できる樹脂材料を、自由に選択して使用することができるのは云うまでもない。
【００３４】
また、ボトル本体１１と外殻体２１に使用される合成樹脂材料についても限定されることはなく、ＰＥＴ樹脂や上記したアイオノマー樹脂の他にも、ポリエステル系樹脂であるポリエチレンナフタレート（ＰＥＮ）樹脂、ＰＣＴＡ樹脂、ＰＣＴＧ樹脂、イーストマンケミカル社製のトライタン等のＰＣＴ樹脂、そして環状ポリオレフィン樹脂等を好適に使用することができる。
また、シュリンクラベル１７については高い耐熱性を有する点からＰＥＴ樹脂の延伸フィルムの使用が好適であるが、その他にも延伸ポリスチレンフィルム（ＯＰＳ）やＰＥＴ樹脂層とポリスチレン樹脂層を積層したハイブリッドタイプの積層延伸フィルム等も使用することができる。
【産業上の利用可能性】
【００３５】
以上説明したように本発明の二重壁構造を有する合成樹脂製ボトルは、シュリンクラベルによる加飾機能と透明な外殻体による光学的な作用効果が相俟って、シュリンクラベルに描かれた模様が透明な外殻体の周壁の中に浮き上がるような３次元的な視覚効果をボトル全体に現出させることができ、高級感のあるパーケージングが可能なものであり化粧料容器等の分野で幅広い利用展開が期待される。
【符号の説明】
【００３６】
１  ；ボトル
２  ；口筒部
３  ；肩部
４  ；筒状部
５  ；底部
１１；ボトル本体
１２；口筒部
１３；肩部
１４；胴部
１５；底部
１７；シュリンクラベル
２１；外殻体
２４；筒状部
２５；底部
３１；射出金型
３２；ボトル本体保持部
３３；キャビティ金型
３４；キャビティ
３６；エアピン
３７；ゲート口
ａ  ；冷却エア
【図１】
2014105032.tif 000003
【図２】
2014105032.tif 000004
【図３】
2014105032.tif 000005
【図４】
2014105032.tif 000006
【図５】
2014105032.tif 000007